【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
配列番号：９の４２６乃至５１０番目の核酸を含み、配列番号：９に記載の核酸配列の少なくとも９２の連続する核酸を含む単離された核酸。
【請求項２】
配列番号：９の少なくとも１７の連続する核酸を含み、ＴＳ１０Ｑ２３．３をコードする遺伝子のエクソンＢの３’側のイントロンに全体または部分的にハイブリダイズする単離されたオリゴヌクレオチド。
【請求項３】
イントロン−エクソンスプライスジャンクションの５０乃至２００塩基内にある配列番号：９のイントロン領域に相補的である、請求項２に記載の単離されたオリゴヌクレオチド。
【請求項４】
（１）試料を、少なくとも１つのプライマーが配列番号：９に記載の核酸配列を含む核酸にハイブリダイズし得るプライマーである複数のプライマーと接触させる工程、及び
（２）該試料を核酸を増幅するのに適した条件に供する工程、
を含む、試料中のＴＳ１０Ｑ２３．３をコードする遺伝子の配列番号：９の４２６乃至５１０番目の核酸配列によって特徴付けられるエクソンＢ、またはその一部を増幅する方法。
【請求項５】
（１）試料を、少なくとも１つのプライマーが配列番号：９に記載の核酸配列を含む核酸にハイブリダイズし得るプライマーである複数のプライマーと接触させる工程、及び
（２）該試料を核酸を増幅するのに適した条件に供する工程、
を含む、試料中のＴＳ１０Ｑ２３．３をコードする遺伝子の配列番号：９の４２６乃至５１０番目の核酸配列によって特徴付けられるエクソンＢ、またはその一部の試料中における存否を決定する方法。
【請求項６】
該複数のプライマーの少なくとも１つのプライマーが請求項２または３に記載のオリゴヌクレオチドである、請求項４または５に記載の方法。
【請求項７】
（１）試料を、少なくとも１つのプライマーが配列番号：９に記載の核酸配列を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＢの３’側イントロン−エクソンスプライスジャンクション（ここで、該スプライスジャンクションの塩基配列は、配列番号：９の５１０及び５１１番目のＧＧである。）を含む核酸を増幅する方法。
【請求項８】
（１）試料を、少なくとも１つのプライマーが配列番号：９に記載の核酸配列を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＢの３’側イントロン−エクソンスプライスジャンクション（ここで、該スプライスジャンクションの塩基配列は、配列番号：９の５１０及び５１１番目のＧＧである。）を含む核酸の試料中における存否を決定する方法。
【請求項９】
配列番号：１０の４８２乃至５２６番目の核酸を含み、配列番号：１０に記載の核酸配列の少なくとも４９の連続する核酸を含む単離された核酸。
【請求項１０】
配列番号：１０の少なくとも１７の連続する核酸を含み、ＴＳ１０Ｑ２３．３をコードする遺伝子のエクソンＣの５’側または３’側のイントロンに全体または部分的にハイブリダイズする単離されたオリゴヌクレオチド。
【請求項１１】
該オリゴヌクレオチドが、該エクソンＣの３’側のイントロンに全体または部分的にハイブリダイズする請求項１０に記載の単離されたオリゴヌクレオチド。
【請求項１２】
イントロン−エクソンスプライスジャンクションの５０乃至２００塩基内にある配列番号：１０のイントロン領域に相補的である、請求項１０または１１に記載の単離されたオリゴヌクレオチド。
【請求項１３】
（１）試料を、少なくとも１つのプライマーが配列番号：１０に記載の核酸配列を含む核酸にハイブリダイズし得るプライマーである複数のプライマーと接触させる工程、及び
（２）該試料を核酸を増幅するのに適した条件に供する工程、
を含む、試料中のＴＳ１０Ｑ２３．３をコードする遺伝子の配列番号：１０の４８２乃至５２６番目の核酸配列によって特徴付けられるエクソンＣ、またはその一部を増幅する方法。
【請求項１４】
（１）試料を、少なくとも１つのプライマーが配列番号：１０に記載の核酸配列を含む核酸にハイブリダイズし得るプライマーである複数のプライマーと接触させる工程、及び
（２）該試料を核酸を増幅するのに適した条件に供する工程、
を含む、試料中のＴＳ１０Ｑ２３．３をコードする遺伝子の配列番号：１０の４８２乃至５２６番目の核酸配列によって特徴付けられるエクソンＣ、またはその一部の試料中における存否を決定する方法。
【請求項１５】
該複数のプライマーの少なくとも１つのプライマーが請求項１０乃至１２のいずれかに記載のオリゴヌクレオチドである、請求項１３または１４に記載の方法。
【請求項１６】
（１）試料を、少なくとも１つのプライマーが配列番号：１０に記載の核酸配列を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＣの５’側イントロン−エクソンスプライスジャンクション（ここで、該スプライスジャンクションの塩基配列は、配列番号：１０の４８１及び４８２番目のＧＧである。）を含む核酸を増幅する方法。
【請求項１７】
（１）試料を、少なくとも１つのプライマーが配列番号：１０を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＣの５’側イントロン−エクソンスプライスジャンクション（ここで、該スプライスジャンクションの塩基配列は、配列番号：１０の４８１及び４８２番目のＧＧである。）を含む核酸の試料中における存否を決定する方法。
【請求項１８】
（１）試料を、少なくとも１つのプライマーが配列番号：１０に記載の核酸配列を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＣの３’側イントロン−エクソンスプライスジャンクション（ここで、該スプライスジャンクションの塩基配列は、配列番号：１０の５２６及び５２７番目のＴＧである。）を含む核酸を増幅する方法。
【請求項１９】
（１）試料を、少なくとも１つのプライマーが配列番号：１０を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＣの３’側イントロン−エクソンスプライスジャンクション（ここで、該スプライスジャンクションの塩基配列は、配列番号：１０の５２６及び５２７番目のＴＧである。）を含む核酸の試料中における存否を決定する方法。
【請求項２０】
（１）試料を、少なくとも１つのプライマーが配列番号：１１に記載の核酸配列を含む核酸にハイブリダイズし得るプライマーである複数のプライマーと接触させる工程、及び
（２）該試料を核酸を増幅するのに適した条件に供する工程、
を含む、試料中のＴＳ１０Ｑ２３．３をコードする遺伝子の配列番号：１１の２２８乃至２７１番目の核酸配列からなるエクソンＤ、またはその一部を増幅する方法。
【請求項２１】
（１）試料を、少なくとも１つのプライマーが配列番号：１１に記載の核酸配列を含む核酸にハイブリダイズし得るプライマーである複数のプライマーと接触させる工程、及び
（２）該試料を核酸を増幅するのに適した条件に供する工程、
を含む、試料中のＴＳ１０Ｑ２３．３をコードする遺伝子の配列番号：１１の２２８乃至２７１番目の核酸配列からなるエクソンＤ、またはその一部の発現レベルを測定する方法。
【請求項２２】
（１）試料を、少なくとも１つのプライマーが配列番号：１１に記載の核酸配列を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＤの３’側イントロン−エクソンスプライスジャンクション（ここで、該スプライスジャンクションの塩基配列は、配列番号：１１の２７１及び２７２番目のＧＧである。）を含む核酸を増幅する方法。
【請求項２３】
（１）試料を、少なくとも１つのプライマーが配列番号：１１に記載の核酸配列を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＤの３’側イントロン−エクソンスプライスジャンクション（ここで、該スプライスジャンクションの塩基配列は、配列番号：１１の２７１及び２７２番目のＧＧである。）を含む核酸の試料中における存否を決定する方法。
【請求項２４】
（１）試料を、少なくとも１つのプライマーが配列番号：１２に記載の核酸配列を含む核酸にハイブリダイズし得るプライマーである複数のプライマーと接触させる工程、及び
（２）該試料を核酸を増幅するのに適した条件に供する工程、
を含む、試料中のＴＳ１０Ｑ２３．３をコードする遺伝子の配列番号：１２の１４１乃至３７９番目の核酸配列によって特徴付けられるエクソンＥ、またはその一部を増幅する方法。
【請求項２５】
（１）試料を、少なくとも１つのプライマーが配列番号：１２に記載の核酸配列を含む核酸にハイブリダイズし得るプライマーである複数のプライマーと接触させる工程、及び
（２）該試料を核酸を増幅するのに適した条件に供する工程、
を含む、試料中のＴＳ１０Ｑ２３．３をコードする遺伝子の配列番号：１２の１４１乃至３７９番目の核酸配列によって特徴付けられるエクソンＥ、またはその一部の試料中における存否を決定する方法。
【請求項２６】
（１）試料を、少なくとも１つのプライマーが配列番号：１２に記載の核酸配列を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＥの５’側イントロン−エクソンスプライスジャンクション（ここで、該スプライスジャンクションの塩基配列は、配列番号：１２の１４０及び１４１番目のＧＴである。）を含む核酸を増幅する方法。
【請求項２７】
（１）試料を、少なくとも１つのプライマーが配列番号：１２に記載の核酸配列を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＥの５’側イントロン−エクソンスプライスジャンクション（ここで、該スプライスジャンクションの塩基配列は、配列番号：１２の１４０及び１４１番目のＧＴである。）を含む核酸の試料中における存否を決定する方法。
【請求項２８】
（１）試料を、少なくとも１つのプライマーが配列番号：１２に記載の核酸配列を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＥの３’側イントロン−エクソンスプライスジャンクション（ここで、該スプライスジャンクションの塩基配列は、配列番号：１２の３７９及び３８０番目のＧＧである。）を含む核酸を増幅する方法。
【請求項２９】
（１）試料を、少なくとも１つのプライマーが配列番号：１２に記載の核酸配列を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＥの３’側イントロン−エクソンスプライスジャンクション（ここで、該スプライスジャンクションの塩基配列は、配列番号：１２の３７９及び３８０番目のＧＧである。）を含む核酸の試料中における存否を決定する方法。
【請求項３０】
（１）試料を、少なくとも１つのプライマーが配列番号：１３に記載の核酸配列を含む核酸にハイブリダイズし得るプライマーである複数のプライマーと接触させる工程、及び
（２）該試料を核酸を増幅するのに適した条件に供する工程、
を含む、試料中のＴＳ１０Ｑ２３．３をコードする遺伝子の配列番号：１３の２２６乃至３６７番目の核酸配列によって特徴付けられるエクソンＦ、またはその一部を増幅する方法。
【請求項３１】
（１）試料を、少なくとも１つのプライマーが配列番号：１３に記載の核酸配列を含む核酸にハイブリダイズし得るプライマーである複数のプライマーと接触させる工程、及び
（２）該試料を核酸を増幅するのに適した条件に供する工程、
を含む、試料中のＴＳ１０Ｑ２３．３をコードする遺伝子の配列番号：１３の２２６乃至３６７番目の核酸配列によって特徴付けられるエクソンＦ、またはその一部の試料中における存否を決定する方法。
【請求項３２】
（１）試料を、少なくとも１つのプライマーが配列番号：１３に記載の核酸配列を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＦの５’側イントロン−エクソンスプライスジャンクション（ここで、該スプライスジャンクションの塩基配列は、配列番号：１３の２２５及び２２６番目のＧＧである。）を含む核酸を増幅する方法。
【請求項３３】
（１）試料を、少なくとも１つのプライマーが配列番号：１３に記載の核酸配列を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＦの５’側イントロン−エクソンスプライスジャンクション（ここで、該スプライスジャンクションの塩基配列は、配列番号：１３の２２５及び２２６番目のＧＧである。）を含む核酸の試料中における存否を決定する方法。
【請求項３４】
（１）試料を、少なくとも１つのプライマーが配列番号：１４に記載の核酸配列を含む核酸にハイブリダイズし得るプライマーである複数のプライマーと接触させる工程、及び
（２）該試料を核酸を増幅するのに適した条件に供する工程、
を含む、試料中のＴＳ１０Ｑ２３．３をコードする遺伝子の配列番号：１４の１６９乃至３３５番目の核酸配列によって特徴付けられるエクソンＧ、またはその一部を増幅する方法。
【請求項３５】
（１）試料を、少なくとも１つのプライマーが配列番号：１４に記載の核酸配列を含む核酸にハイブリダイズし得るプライマーである複数のプライマーと接触させる工程、及び
（２）該試料を核酸を増幅するのに適した条件に供する工程、
を含む、試料中のＴＳ１０Ｑ２３．３をコードする遺伝子の配列番号：１４の１６９乃至３３５番目の核酸配列によって特徴付けられるエクソンＧ、またはその一部の試料中における存否を決定する方法。
【請求項３６】
（１）試料を、少なくとも１つのプライマーが配列番号：１４に記載の核酸配列を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＧの３’側イントロン−エクソンスプライスジャンクション（ここで、該スプライスジャンクションの塩基配列は、配列番号：１４の３３５及び３３６番目のＧＧである。）を含む核酸を増幅する方法。
【請求項３７】
（１）試料を、少なくとも１つのプライマーが配列番号：１４に記載の核酸配列を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＧの３’側イントロン−エクソンスプライスジャンクション（ここで、該スプライスジャンクションの塩基配列は、配列番号：１４の３３５及び３３６番目のＧＧである。）を含む核酸の存否を決定する方法。
【請求項３８】
（１）試料を、少なくとも１つのプライマーが配列番号：１５に記載の核酸配列を含む核酸にハイブリダイズし得るプライマーである複数のプライマーと接触させる工程、及び
（２）該試料を核酸を増幅するのに適した条件に供する工程、
を含む、試料中のＴＳ１０Ｑ２３．３をコードする遺伝子の配列番号：１５の１６０乃至３８４番目の核酸配列によって特徴付けられるエクソンＨ、またはその一部を増幅する方法。
【請求項３９】
（１）試料を、少なくとも１つのプライマーが配列番号：１５に記載の核酸配列を含む核酸にハイブリダイズし得るプライマーである複数のプライマーと接触させる工程、及び
（２）該試料を核酸を増幅するのに適した条件に供する工程、
を含む、試料中のＴＳ１０Ｑ２３．３をコードする遺伝子の配列番号：１５の１６０乃至３８４番目の核酸配列によって特徴付けられるエクソンＨ、またはその一部の試料中における存否を決定する方法。
【請求項４０】
（１）試料を、少なくとも１つのプライマーが配列番号：１５に記載の核酸配列を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＨの３’側イントロン−エクソンスプライスジャンクション（ここで、該スプライスジャンクションの塩基配列は、配列番号：１５の３８４及び３８５番目のＧＧである。）を含む核酸を増幅する方法。
【請求項４１】
（１）試料を、少なくとも１つのプライマーが配列番号：１５に記載の核酸配列を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＨの３’側イントロン−エクソンスプライスジャンクション（ここで、該スプライスジャンクションの塩基配列は、配列番号：１５の３８４及び３８５番目のＧＧである。）を含む核酸の試料中における存否を決定する方法。
【請求項４２】
（１）試料を、少なくとも１つのプライマーが配列番号：１６に記載の核酸配列を含む核酸にハイブリダイズし得るプライマーである複数のプライマーと接触させる工程、及び
（２）該試料を核酸を増幅するのに適した条件に供する工程、
を含む、試料中のＴＳ１０Ｑ２３．３をコードする遺伝子の配列番号：１６の３１６乃至４９８番目の核酸配列によって特徴付けられるエクソンＩ、またはその一部を増幅する方法。
【請求項４３】
（１）試料を、少なくとも１つのプライマーが配列番号：１６に記載の核酸配列を含む核酸にハイブリダイズし得るプライマーである複数のプライマーと接触させる工程、及び
（２）該試料を核酸を増幅するのに適した条件に供する工程、
を含む、試料中のＴＳ１０Ｑ２３．３をコードする遺伝子の配列番号：１６の３１６乃至４９８番目の核酸配列によって特徴付けられるエクソンＩ、またはその一部の試料中における存否を決定する方法。
【請求項４４】
（１）試料を、少なくとも１つのプライマーが配列番号：１６に記載の核酸配列を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＩの５’側イントロン−エクソンスプライスジャンクション（ここで、該スプライスジャンクションの塩基配列は、配列番号：１６の３１５及び３１６番目のＧＧである。）を含む核酸を増幅する方法。
【請求項４５】
（１）試料を、少なくとも１つのプライマーが配列番号：１６に記載の核酸配列を含む核酸にハイブリダイズし得るプライマーである複数のプライマーと接触させる工程、及び
（２）該試料を核酸を増幅するのに適した条件に供する工程、
を含む、ＴＳ１０Ｑ２３．３をコードする遺伝子のエクソンＩの５’側イントロン−エクソンスプライスジャンクション（ここで、該スプライスジャンクションの塩基配列は、配列番号：１６の３１５及び３１６番目のＧＧである。）を含む核酸の試料中における存否を決定する方法。
【請求項４６】
（ａ）配列番号１、配列番号６の243乃至645位若しくは配列番号７の37乃至430位に記載のアミノ酸配列からなるポリペプチド；
（ｂ）配列番号１、配列番号６の243乃至645位若しくは配列番号７の37乃至430位に記載のアミノ酸配列において少なくとも１つのアミノ酸が欠失、置換若しくは挿入されたアミノ酸配列からなり、かつフォスファターゼ活性を有するポリペプチド；及び
（ｃ）配列番号１、配列番号６の243乃至645位若しくは配列番号７の37乃至430位に記載のアミノ酸配列と少なくとも９０％の同一性を有するアミノ酸配列からなり、かつフォスファターゼ活性を有するポリペプチド、
からなる群から選ばれるポリペプチド。
【請求項４７】
配列番号１、配列番号６の243乃至645位または配列番号７の37乃至430位に記載のアミノ酸配列からなる請求項４６に記載のポリペプチドにおける少なくとも10個の連続するアミノ酸からなるペプチド断片。
【請求項４８】
担体分子にコンジュゲートしているか、または融合蛋白質の形態である請求項４６に記載のポリペプチドまたは請求項４７に記載のペプチド断片。
【請求項４９】
請求項４６に記載のポリペプチドまたは請求項４７に記載のペプチド断片に免疫学的に結合する抗体。
【請求項５０】
モノクローナル抗体である請求項４９に記載の抗体。
【請求項５１】
検出可能な標識で標識されている請求項５０に記載のモノクローナル抗体。
【請求項５２】
該標識が、蛍光標識、化学発光標識、放射性標識および酵素からなる群から選ばれる請求項５１に記載の抗体。
【請求項５３】
免役化学操作法または免役組織化学操作法に用いられる請求項５０に記載の抗体。
【請求項５４】
該免役化学操作法または該免役組織化学操作法が、ELISA法、ウエスタンブロット法または組織染色である請求項５３に記載の抗体。
【請求項５５】
他のヒトポリペプチドにクロス反応しない請求項５０に記載の抗体。
【請求項５６】
請求項５０に記載のモノクローナル抗体を産生するハイブリドーマ細胞。
【請求項５７】
請求項４９に記載の抗体を調製するための免役原の製造における請求項４６乃至４８のいずれかに記載のポリペプチドまたはペプチド断片の使用。
【請求項５８】
配列番号２の1035乃至2246位の核酸配列からなるコード領域を含む核酸または該核酸の少なくとも３０個の連続する核酸配列を含む、請求項４６に記載のポリペプチドまたは請求項４７に記載のペプチド断片をコードする核酸。
【請求項５９】
該ポリペプチドまたは該ペプチド断片が、ヒト、マウスまたはイヌのポリペプチドまたはペプチド断片である請求項５８に記載の核酸。
【請求項６０】
（ａ）配列番号１のアミノ酸配列からなるヒトポリペプチドをコードする核酸；
（ｂ）配列番号６の243乃至645位のアミノ酸配列からなるマウスポリペプチドをコードする核酸；
（ｃ）配列番号７の37乃至430位のアミノ酸配列からなるイヌポリペプチドをコードする核酸；
（ｄ）配列番号２の1035乃至2246位の核酸配列を含む、配列番号１のアミノ酸配列からなるヒトポリペプチドをコードする核酸；
（ｅ）配列番号３の751乃至1962位の核酸配列を含む、配列番号６の243乃至645位のアミノ酸配列からなるマウスポリペプチドをコードする核酸；及び
（ｆ）配列番号４の109乃至1291位の核酸配列を含む、配列番号７の37乃至430位のアミノ酸配列からなるイヌポリペプチドをコードする核酸、
からなる群から選ばれる請求項５９に記載の核酸。
【請求項６１】
該核酸が、相補的ＤＮＡである請求項５８乃至６０のいずれかに記載の核酸。
【請求項６２】
該核酸が、該相補的ＤＮＡに作動可能に連結したプロモーター及び該相補的ＤＮＡに作動可能に連結したポリアデニル化シグナルをさらに含む請求項６１に記載の核酸。
【請求項６３】
複製起点をさらに含む請求項６２に記載の核酸。
【請求項６４】
該核酸が、ウイルスベクターである請求項６３に記載の核酸。
【請求項６５】
ウイルス粒子中にパッケージングされている請求項６４に記載の核酸。
【請求項６６】
リポソーム中にパッケージングされている請求項６３に記載の核酸。
【請求項６７】
請求項５８に記載の核酸の増幅のためのオリゴヌクレオチドプライマー対のセット。
【請求項６８】
請求項４６に記載のポリペプチドをコードするｍＲＮＡの定量またはＤＮＡ配列決定に用いられる請求項６７のプライマー対のセット。
【請求項６９】
配列番号１に記載のアミノ酸配列からなるポリペプチドをコードする核酸において、
（ａ）配列番号10の482位に対応する、エクソンＣの５'スプライスジャンクションの＋１位におけるスプライス突然変異を生ずるＧからＴ若しくはＵへの変化；
（ｂ）配列番号15の160位に対応する、エクソンＨの５'スプライスジャンクションの＋１位におけるスプライス突然変異を生ずるＧからＴ若しくはＵへの変化；
（ｃ）配列番号14の266位及び配列番号２の1766位に対応する、エクソンＧの＋98位における２塩基のＴＴ若しくはＵＵの挿入；
（ｄ）配列番号14の169乃至335位及び配列番号２の1669乃至1835位に対応する、エクソンＧにおけるフレームシフト突然変異を生ずる変化；
（ｅ）配列番号９の471位及び配列番号２の1159位に対応する、エクソンＢの＋46位におけるミスセンス突然変異を生ずるＴ若しくはＵからＧへの変化；
（ｆ）配列番号９の453位及び配列番号２の1141位に対応する、エクソンＢの＋28位におけるミスセンス突然変異を生ずるＧからＡへの変化；
（ｇ）配列番号15の361位及び配列番号２の2037位に対応する、エクソンＨの＋202位におけるナンセンス突然変異を生ずるＣからＴ若しくはＵへの変化；
（ｈ）配列番号８の1050乃至1051位及び配列番号２の1050乃至1051位に対応する、エクソンＡの＋16乃至＋17位における２塩基のＡＡの欠失；及び
（ｉ）配列番号９の478位及び配列番号２の1166位に対応する、エクソンＢの＋53位におけるＣからＴ若しくはＵへの変化；
からなる群から選ばれる少なくとも１つの核酸の変化を含む核酸。
【請求項７０】
試料中における塩基配列に変異を含む核酸の存否を決定するインビトロにおける方法であって、該核酸の塩基配列を、配列番号２及び９乃至１６のいずれかの核酸またはその相補鎖の塩基配列と比較することからなる方法。
【請求項７１】
チップまたは水を用いるオリゴヌクレオチドハイブリダイゼーションからなる請求項７０に記載の方法。
【請求項７２】
該変異は、請求項６９に記載される変異のいずれかである請求項７０に記載の方法。
【請求項７３】
試料中における下記（ａ）乃至（ｃ）のいずれかを決定することからなるインビトロにおける方法：
（ａ）請求項４６に記載のポリペプチド若しくは請求項４７に記載のペプチド断片の発現；
（ｂ）請求項５８に記載の核酸の発現；または
（ｃ）上記（ａ）若しくは（ｂ）の調節摂動のレベル。
【請求項７４】
試料中の細胞における下記（ａ）乃至（ｃ）のいずれかを決定することからなるインビトロにおける癌のステージまたは侵襲性の決定方法：
（ａ）請求項４６に記載のポリペプチド若しくは請求項４７に記載のペプチド断片の発現；
（ｂ）請求項５８に記載の核酸の発現；または
（ｃ）上記（ａ）若しくは（ｂ）の調節摂動のレベル。
【請求項７５】
試料中の細胞における下記（ａ）乃至（ｃ）のいずれかを決定することからなるインビトロにおける癌の転移または侵襲性の推定方法：
（ａ）請求項４６に記載のポリペプチド若しくは請求項４７に記載のペプチド断片の発現；
（ｂ）請求項５８に記載の核酸の発現；または
（ｃ）上記（ａ）若しくは（ｂ）の調節摂動のレベル。
【請求項７６】
試料中の細胞における請求項４６に記載のポリペプチドまたは請求項５８に記載の核酸をアッセイすることからなる請求項７３乃至７５のいずれかに記載の方法。
【請求項７７】
請求項５８に記載の核酸によりコードされるｍＲＮＡの量を定量することからなる請求項７６に記載の方法。
【請求項７８】
該試料が、脳癌、神経膠芽細胞腫、髄芽腫、星状細胞腫、乏突起膠腫、上衣細胞腫、肺癌、肝臓癌、脾臓癌、腎臓癌、膵臓癌、小腸癌、血球癌、リンパ節癌、結腸癌、乳癌、子宮内膜癌、胃癌、前立腺癌、精巣癌、卵巣癌、皮膚癌、頭頚癌、食道癌、及び骨髄癌からなる群から選ばれる癌に罹患している患者から採取されたものである請求項７０または７３乃至７５のいずれかに記載の方法。
【請求項７９】
該試料が、組織試料または流体試料である請求項７８に記載の方法。
【請求項８０】
該試料が核酸を増幅するのに適した条件に供される請求項７８に記載の方法。
【請求項８１】
該組織試料または液体試料が、皮膚細胞、筋肉細胞、顔の細胞、脳細胞、前立腺細胞、乳の細胞、子宮内膜の細胞、肺細胞、頭頸部の細胞、膵臓細胞、小腸細胞、血球細胞、肝臓細胞、精巣細胞、卵巣細胞、結腸細胞、胃の細胞、食道の細胞、脾臓細胞、リンパ節の細胞、骨髄細胞及び腎臓細胞からなる群から選ばれる細胞からなる請求項７９に記載の方法。
【請求項８２】
該流体試料が、末梢血液、リンパ液、腹水、血漿、胸膜滲出液（胸水)、痰、脳脊髄液、涙液、便及び尿からなる群から選ばれる請求項７９に記載の方法。
【請求項８３】
核酸の配列決定をさらに含む請求項８０に記載の方法。
【請求項８４】
下記（ａ）乃至（ｃ）のいずれか及び薬学的に許容し得る担体からなる医薬組成物：
（ａ）請求項５８に記載の核酸からなる発現構築物；
（ｂ）請求項４６に記載のポリペプチド若しくは請求項４７に記載のペプチド断片；または
（ｃ）請求項５０に記載の抗体。
【請求項８５】
癌を治療するための医薬の製造における請求項４６に記載のポリペプチドまたは請求項４７に記載のペプチド断片の使用。
【請求項８６】
癌に関連する腫瘍細胞において請求項４６に記載のポリペプチドの発現を抑制する活性を有する請求項５８に記載の核酸の、癌を治療するための医薬の製造における使用。
【請求項８７】
該核酸が、リポソーム中に内包されている請求項８６に記載の使用。
【請求項８８】
該核酸が、ウイルスベクターである請求項８６に記載の使用。
【請求項８９】
該核酸が、ウイルス粒子中に内包されている請求項８６に記載の使用。
【請求項９０】
該ウイルスベクターが、アデノウイルス、レトロウイルス、ワクシニアウイルス、アデノ関連ウイルス及びヘルペスウイルスからなる群から選ばれる請求項８８に記載の使用。
【請求項９１】
（i）請求項４６に記載のポリペプチド若しくは請求項５８に記載の核酸を欠く細胞を用意し、
（ii）該細胞を候補物質と接触させ、及び
（iii）該細胞に対する該候補物質の作用を決定する、
工程を含む抗腫瘍活性の候補物質のスクリーニング方法。
【請求項９２】
該細胞が、腫瘍細胞である請求項９１に記載の方法。
【請求項９３】
該腫瘍細胞が、配列番号１に記載のアミノ酸配列からなるポリペプチドをコードする核酸のコード領域に変異を有する請求項９２に記載の方法。
【請求項９４】
請求項４６に記載のアミノ酸配列からなるポリペプチドをコードする遺伝子の少なくとも１つのコピーが他の遺伝子により中断または置換されているトランスジェニック非ヒト哺乳動物。